(57)【特許請求の範囲】
【請求項１】
記録装置を接続し前記記録装置を制御および前記記録装置からの再生出力を受信し処理する制御処理システムであって、
前記記録装置を制御するために前記記録装置に伝送する制御信号の一部または全てが、前記記録装置が再生中であるか、再生中でないかによって異なる場合に、前記記録装置が再生中であるかどうかを、前記記録装置から受信する信号に再生データが含まれているかどうかで判断する再生状態判断手段と、
前記再生状態判断手段の判断に応じて、前記記録装置に伝送する一部または全ての制御信号を選択する制御信号選択手段を有することを特徴とする記録装置制御処理システム。
【請求項２】
前記再生状態判断手段は、前記記録装置から再生データを伝送するための同期パケットを受信した場合に、前記記録装置が再生中であると判断するものであることを特徴とする請求項１記載の記録装置制御処理システム。
【請求項３】
制御信号選択手段は、前記記録装置の記録メディアのスキャン速度を通常の再生速度よりも高速に行う制御信号を伝送する際に、前記再生状態判断手段によって前記記録装置が再生中であると判断された場合には、画像を再生しながらその再生速度を向上させる制御信号を伝送し、前記再生状態判断手段によって前記記録装置が再生中でないと判断された場合には、画像を再生せずに高速にスキャンさせる制御信号を伝送するものであることを特徴とする請求項１記載の記録装置制御処理システム。
【発明の詳細な説明】
【０００１】
【発明の属する技術分野】
本発明はパソコン等の制御装置を用いて、ビデオ等の機器の制御・処理を行う記録装置制御処理システムに関するものである。
【０００２】
【従来の技術】
現在ビデオ等の家庭用記録装置は、そのデジタル化に伴いＩＥＥＥ１３９４、ＵＳＢ等デジタルインターフェースを備えるようになってきている。これらインターフェースをパソコン等のＣＰＵを搭載した制御装置に接続することによって、制御装置上のソフトウエアを用いて、記録装置を制御したり、制御装置上で再生したりすることが可能になる。
【０００３】
【発明が解決しようとする課題】
しかしながら、制御信号はインターフェースを介して記録装置と接続されているため、記録装置内部の全ての情報をリアルタイムで取得できるわけではない。このため制御上で以下のような課題が発生する。
【０００４】
記録装置の通常の処理では、画像再生中の場合に高速送りボタンや高速逆送りボタンを押すと、画像を再生しながら高速再生を実行する。これに対し画像を再生していない場合に高速送りボタンや高速逆送りボタンを押すと、画像を再生せずに高速送りを実行する。しかしながら制御装置上で記録装置が画像再生中であるかどうかという情報を記録装置から取得する命令がない場合には、画像再生をしながら高速再生をすべきであるのか、画像再生をせずに高速送りをすべきであるのか判断することができない。
【０００５】
本発明は上記の課題を解決することを目的とする。
【０００６】
【課題を解決するための手段】
本発明は、記録装置を接続し前記記録装置を制御および前記記録装置からの再生出力を受信し処理する制御処理システムであって、前記記録装置を制御するために前記記録装置に伝送する制御信号の一部または全てが、前記記録装置が再生中であるか、再生中でないかによって異なる場合に、前記記録装置が再生中であるかどうかを、前記記録装置から受信する信号に再生データが含まれているかどうかで判断する再生状態判断手段と、前記再生状態判断手段の判断に応じて、前記記録装置に伝送する一部または全ての制御信号を選択する制御信号選択手段を有することを特徴とする記録装置制御処理システムである。
【０００７】
【発明の実施の形態】
以下に本発明を実施例を用いて説明する。図１は本発明のブロックである。図１の１０１はデジタルビデオカメラ、１０２はＩＥＥＥ１３９４インターフェース、１０３はパソコン、１０４は使用者の指示入力部である。
【０００８】
図１の動作を説明する。まず、ＩＥＥＥ１３９４インターフェース１０２を介してデジタルビデオカメラ１０１とパソコン１０３が接続されている。パソコン１０３からは使用者指示入力部１０４に従って、デジタルビデオカメラ１０１にＩＥＥＥ１３９４インターフェース１０２を介して制御信号が伝送される。ここでの制御信号とは、再生、停止、早送り、ポーズ、スロー、コマ送り等のデジタルビデオカメラ１０１の動作を制御する信号である。またデジタルビデオカメラ１０１から再生されるビデオ、オーディオデータ等も１ＥＥＥ１３９４インターフェース１０２を介してパソコン１０３に入力される。以上のような接続によって、使用者はパソコンを用いてデジタルビデオカメラの制御、再生等を実行することが可能になる。
【０００９】
次に図１のようなシステムにおける本発明の第１の実施例を図２を用いて説明する。図２の２０１は入力指示検出ステップ、２０２は同期パケット検出ステップ、２０３は制御信号選択ステップ、２０４は制御信号送信ステップである。
【００１０】
入力指示検出ステップ２０１では、使用者から入力される指示を調べ、それが高速送り命令または高速逆送り命令であるかどうかを検出する。ここで高速送り命令または高速逆送り命令である場合には、同期パケット検出ステップ２０２において、現在ビデオまたはオーディオデータ等を伝送する同期パケットがデジタルビデオカメラ１０１から伝送されているかどうかを検出する。この結果デジタルビデオカメラからビデオまたはオーディオデータを受信していることが検出された場合には、制御信号選択ステップ２０３において再生を続けながら再生速度を向上させる制御信号を選択し、検出されなかった場合には制御信号選択ステップ２０３において再生せずに高速にスキャンする制御信号を選択して制御信号送信ステップ２０４でデジタルカメラに対して制御信号を伝送する。また入力指示検出ステップ２０１において高速送り命令または高速逆送り命令でない場合には、制御信号選択ステップ２０３で命令に従って制御信号を選択し、制御信号送信ステップ２０４でデジタルカメラに対して制御信号を伝送する。
【００１１】
このように図２の本発明では、パソコンが受信する信号からビデオまたはオーディオデータを検出することによって、高速送りまたは高速逆送りの入力指示に対する実際に伝送する制御信号を変更する。これによって使用者が直接デジタルビデオを操作するのと同じ感覚で制御することが可能になる。またここでは高速送り等を用いて説明しているが、再生状態によって複数の制御信号に解釈可能な全ての入力指示に対応可能である。
【００１２】
以上のように実施例を用いて本発明を説明したが、ここで使用する記録装置はデジタルカメラ以外の任意の記録または再生装置を適用可能であり、制御装置についてもパソコン以外にもＷｉｎＣＥ  ＯＳ等ＣＰＵを用いた任意の制御装置を使用可能である。また接続するインターフェースもＩＥＥＥ１３９４以外にＵＳＢ、イーサネット等も適用可能である。またいくつかの実施例を組み合わせて使用することも可能である。
【００１３】
更に本発明は、ソフトウエアだけでなくハードウエアで実現することも可能であり、また本システムを実現する一部または全てのソフトウエアをインターネット等のネットワークを介して配布または実行することも可能である。
【００１４】
【発明の効果】
上記のような構成によって、本発明ではパソコン等が受信する信号からビデオまたはオーディオデータを検出することによって、高速送りまたは高速逆送りの入力指示に対する実際に伝送する制御信号を変更する。これによって使用者が直接デジタルビデオを操作するのと同じ感覚で制御することが可能になる。
【図面の簡単な説明】
【図１】  本発明の実施例のブロック図
【図２】  本発明の第１の実施例の説明図
【符号の説明】
１０１  デジタルビデオカメラ
１０２  ＩＥＥＥ１３９４インターフェース
１０３  パソコン
１０４  使用者指示入力部
２０１  入力指示検出ステップ
２０２  同期パケット検出ステップ
２０３  制御信号選択ステップ
２０４  制御信号送信ステップ
【図１】
0003800019.tif 000002
【図２】
0003800019.tif 000003